(57)【特許請求の範囲】
【請求項１】
容器の上部の角部斜面に載置して用いられる、透明又は半透明の計量器であって、
容器の上部に設けた嵌合部に嵌合して容器内空間に連通する内容物の導入口を上部に備えた仮計量部と、
仮計量部に仕切部を介して隣接するとともに、仕切部の下部の連通路を介して仮計量部と連通し、計量目盛を備えるとともに、内容物の排出口を上部に備えた計量部とを有してなり、
容器の上部の角部斜面に載置される該計量容器の斜面において、上記計量部に隣接する上記仮計量部の導入口の下側の底部の一部に、容器の該角部斜面に設けた開口を介して容器内空間に連通する透孔を備えてなる計量器。
【請求項２】
容器の上部の角部斜面に載置して用いられる、透明又は半透明の計量器であって、
容器の上部に設けた嵌合部に嵌合して容器内に入り込み、容器内空間に連通する内容物の導入口を上部に備えた仮計量部と、
仮計量部に仕切部を介して隣接するとともに、仕切部の下部の連通路を介して仮計量部と連通し、計量目盛を備えるとともに、内容物の排出口を上部に備えた計量部とを有するとともに、
容器の上部の角部斜面に載置される該計量容器の斜面において、上記計量部に隣接する上記仮計量部の導入口の下側の底部の一部に、容器の該角部斜面に設けた開口を介して容器内空間に連通する透孔を備えてなり、
計量部は、容器の正立状態で、仮計量部から装填された内容物の一部を仕切部の下部の上記連通路から仮計量部に戻し、更にこの内容物を仮計量部の底部の上記透孔から容器内空間に戻して内容物の収容量を調整可能にする計量器。
【発明の詳細な説明】
【０００１】
【発明の属する技術分野】
本発明は粉末のための計量器に関する。
【０００２】
【従来の技術】
容器に付帯して用いられる計量器として、実開昭62-38873号公報に記載の如く、容器内空間に連通する内容物の導入口と、内容物の排出口とを備えた計量部を有するものがある。
【０００３】
【発明が解決しようとする課題】
しかしながら、従来技術の計量器は、計量部を容器内空間に直接連通しており、容器内空間から一旦計量部に取込んだ内容物の一部を適宜容器内空間の側に戻すことは困難で、内容物の排出量を微妙に調整することに困難がある。
【０００４】
本発明の課題は、計量器により計量される内容物の排出量を微妙に調整可能とすることにある。
【０００５】
請求項１に記載の本発明は、容器の上部の角部斜面に載置して用いられる、透明又は半透明の計量器であって、容器の上部に設けた嵌合部に嵌合して容器内空間に連通する内容物の導入口を上部に備えた仮計量部と、仮計量部に仕切部を介して隣接するとともに、仕切部の下部の連通路を介して仮計量部と連通し、計量目盛を備えるとともに、内容物の排出口を上部に備えた計量部とを有してなり、容器の上部の角部斜面に載置される該計量容器の斜面において、上記計量部に隣接する上記仮計量部の導入口の下側の底部の一部に、容器の該角部斜面に設けた開口を介して容器内空間に連通する透孔を備えてなるようにしたものである。
【０００６】
【発明の実施の形態】
計量器１０は、図１に示す如く、容器１の上部に設けた嵌合部２の開口に着脱可能に嵌合して、或いは接着剤、接着テープ等を用いて固定化して用いる。
【０００７】
計量器１０は、透明もしくは半透明のプラスチックからなり、容器１の上部の角部斜面に載置される斜面板１１と、容器１の天面に面一をなす天面板１２と、容器１の側面に面一をなす側面板１３と、容器１の正面に面一をなす正面板１４と、容器１の背面に面一をなす背面板（不図示）を有している。そして、計量器１０は、天面板１２から垂下される板状仕切部１６を備え、仕切部１６の一方を仮計量部１７とし、他方を計量部１８としている。
【０００８】
仮計量部１７は、容器内空間１Ａに連通する内容物の導入口２１を備え、この導入口２１を備える部分を前述した容器１の嵌合部２に嵌合可能としている。
【０００９】
計量部１８は、仮計量部１７に仕切部１６を介して隣接するとともに、仕切部１６の下部の連通路２２を介して仮計量部１７と連通し、計量目盛２３を備えるとともに、内容物の排出口２４を上方に備える。計量目盛２３は、正面板１４（もしくは側面板１３）に設けられ、計量部１８の内容物の容積量を目視可能とする。排出口２４は天面板１２に設けられ、天面板１２もしくは側面板１３にヒンジ結合してある開閉蓋２５により開閉される。
【００１０】
尚、計量器１０の斜面板１１において、仮計量部１７の底部を構成する部分の一部には、図２（Ａ）、（Ｂ）に示す如く、仮計量部１７を、容器１の角部斜面に設けた開口を介して容器内空間１Ａに連通せしめるスリット状もしくは孔状の透孔２６を備える。
【００１１】
以下、計量器１０の使用手順について説明する（図３）。
(1) 容器１を正立状態から傾転し、容器内空間１Ａの内容物を仮計量部１７に装填する（図３（Ａ）、（Ｂ））。仮計量部１７に装填された内容物は、仕切部１６の存在により計量部１８には入らない。
【００１２】
(2) 容器１を正立状態に戻し、上記(1) で仮計量部１７に装填された内容物を連通路２２から計量部１８に移す（図３（Ｃ））。このとき、仮計量部１７の容積Ｖａが計量部１８の容積Ｖｂより大きく設定されている場合には、内容物の一部は仮計量部１７に残る。
【００１３】
(3) 容器１を正立状態のまま、使用者の手等で振ることにより、上記(2) で計量部１８に装填された内容物の一部を仕切部１６の下部の連通路２２から仮計量部１７に徐々に戻し、もしくは仮計量部１７の透孔２６、導入口２１を経て容器内空間１Ａに徐々に戻し、計量部１８における内容物の収容量を調整する（図３（Ｄ））。計量部１８における内容物の収容量の変化を計量目盛２３で認識し、この収容量が所望量に達した時点でその調整作業を終える。
【００１４】
(4) 容器１を正立状態から傾転し、上記(3) で計量部１８に計量した内容物を排出口２４から排出する（図３（Ｅ））。上記(3) で計量部１８から戻されて仮計量部１７に残存する内容物は、仕切部１６の存在により計量部１８の側に移動することがない。このとき、容器内空間１Ａの内容物が新たに仮計量部１７に装填され、上記(1) に戻るものとなる。
【００１５】
従って、本実施形態によれば、以下の作用効果がある。
（請求項１に対応する作用効果）
▲１▼計量目盛を備えた計量部１８と容器内空間１Ａとの間に仮計量部１７が設けられ、計量部１８と仮計量部１７との間には仕切部１６が設けられている。従って、容器内空間１Ａから仮計量部１７を経て一旦計量部１８に取込まれた内容物の一部は仕切部１６により計量部１８に留められ、他の一部は容器１に加えられる振動操作等により仕切部１６の下部の連通路２２から仮計量部１７に、更には容器内空間１Ａに徐々に戻され得るものとなる。これにより、計量目盛２３を見ながら上述の内容物の計量部１８から仮計量部１７、容器内空間１Ａの側への戻し操作を行なうことにより、計量器１０により計量される内容物の排出量を微妙に調整できる。
【００１６】
（請求項２に対応する作用効果）
▲２▼仮計量部１７の底部の一部に透孔２６を設けたことにより、上記▲１▼における容器１の揺動操作等により計量部１８から仮計量部１７に戻された内容物をその透孔２６から速やかに容器内空間１Ａに戻し、上記▲１▼の計量操作の迅速を図ることができる。
【００１７】
【発明の効果】
以上のように本発明によれば、計量器により計量される内容物の排出量を微妙に調整可能とすることができる。
【図面の簡単な説明】
【図１】  図１は計量器を示す模式図である。
【図２】  図２は計量器の斜面板を示す模式図である。
【図３】  図３は計量器の使用手順を示す模式図である。
【符号の説明】
１  容器
１Ａ  容器内空間
２  嵌合部
１０  計量器
１６  仕切部
１７  仮計量部
１８  計量部
２１  導入口
２２  連通路
２３  計量目盛
２４  排出口
２６  透孔
【図１】
0004265824.tif 000002
【図２】
0004265824.tif 000003
【図３】
0004265824.tif 000004